(57)【要約】【課題】搬送経路を切り替えて原稿を搬送して読み取る画像読取装置において、搬送経路に応じて読取結果を補正する。【解決手段】画像読取装置は、給紙トレイと搬送部と読取部とＣＰＵとトレイ板を備え、装置内に原稿を搬送する第１搬送経路と第２搬送経路を有している。ＣＰＵはトレイ板の状態によってフラグをオンし（Ｓ４、Ｓ６）、いずれの搬送経路によって原稿を搬送するかを設定する。そして、ＣＰＵは、設定された搬送経路に沿って搬送される原稿を読み取り、読み取った読取画像の副走査方向の倍率を、原稿が搬送された搬送経路によって異なる基準を用いた異なる補正処理を実行する（Ｓ１８、Ｓ２０）。【選択図】図３
2014030129.tif 000002
【特許請求の範囲】
【請求項１】
原稿が載置される載置部と、
前記載置部に載置された前記原稿を第１搬送経路及び第２搬送経路のいずれか一方の搬送経路に沿って搬送する搬送部と、
前記第１搬送経路と前記第２搬送経路との共通搬送経路上に設けられ、前記搬送部によって搬送される前記原稿を主走査方向に読み取る読取部と、
制御部と、
を備え、
前記制御部は、
前記原稿がいずれの搬送経路に沿って搬送されるかを設定する設定処理と、
設定された前記搬送経路に沿って前記原稿を搬送し、前記読取部によって読み取られた読取結果を、設定された前記搬送経路によって、前記主走査方向に直交する副走査方向における拡大又は縮小倍率を示す副走査倍率を切り替えて補正する補正処理と、
を実行する、画像読取装置。
【請求項２】
請求項１に記載の画像読取装置であって、
前記補正処理には、
前記原稿が前記第１搬送経路に沿って搬送される場合に、前記原稿を読取完了後に、前記読取結果から第１の副走査倍率を決定し、決定された前記第１の副走査倍率で前記読取結果を補正する第１補正処理と、
前記原稿が前記第２搬送経路に沿って搬送される場合に、前記原稿を読取途中に、予め定められた第２の副走査倍率で前記読取結果を補正する第２補正処理と、
を含む、画像読取装置。
【請求項３】
請求項２に記載の画像読取装置であって、
前記制御部は、
前記第１補正処理において、前記原稿の前記副走査方向における副走査方向長を推定し、前記読取結果の前記副走査方向における副走査方向データ幅が前記副走査方向長と等しくなる前記第１の副走査倍率を決定する、画像読取装置。
【請求項４】
請求項３に記載の画像読取装置であって、
前記読取部は、前記主走査方向への読み取りを前記副走査方向に複数回繰り返して前記原稿を読み取り、
前記副走査方向長に対応した前記主走査方向への基準の読取回数を示す基準読取数が記憶された記憶部を更に備え、
前記制御部は、
前記第１補正処理において、前記原稿が読み取られた際の読取数が前記原稿の副走査方向長に対応した前記基準読取数と等しくなる前記第１の副走査倍率を決定する、画像読取装置。
【請求項５】
請求項４に記載の画像読取装置であって、
前記制御部は、
前記第１補正処理において、前記原稿に対して１回目の前記主走査方向への読み取りにより読み取られた単位読取結果の前記主走査方向における主走査方向データ幅から前記副走査方向長を推定する、画像読取装置。
【請求項６】
請求項３ないし請求項５のいずれか一項に記載の画像読取装置であって、
前記第１搬送経路は、基準厚さよりも厚い原稿を搬送する搬送経路であって、
前記第２搬送経路は、前記基準厚さよりも薄い原稿を搬送する搬送経路である、画像読取装置。
【請求項７】
請求項２ないし請求項６のいずれか一項に記載の画像読取装置であって、
前記読取結果を記憶する記憶部を更に備え、
前記第１搬送経路は、基準原稿サイズよりも小型な原稿を搬送する搬送経路であって、
前記第２搬送経路は、前記基準原稿サイズよりも大型な原稿を搬送する搬送経路である、画像読取装置。
【請求項８】
請求項２ないし請求項７のいずれか一項に記載の画像読取装置であって、
前記第２搬送経路は、前記第１搬送経路よりも曲率半径の小さい湾曲部を有する、画像読取装置。
【請求項９】
請求項１ないし請求項８のいずれか一項に記載の画像読取装置であって、
前記第１搬送経路上に設けられ、前記第１搬送経路を遮断する遮断状態と、前記第１搬送経路に沿って前記原稿を搬送する搬送状態のいずれかの状態に切り替わる切替部を更に備え、
前記制御部は、
前記設定処理において、前記切替部の状態が前記搬送状態の場合に、前記原稿を前記第１搬送経路に沿って搬送されるように設定し、前記切替部の状態が前記遮断状態の場合に、前記原稿を前記第２搬送経路に沿って搬送されるように設定する、画像読取装置。
【発明の詳細な説明】
【技術分野】
【０００１】
本明細書によって開示される技術は、搬送経路を切り替えて原稿を搬送して読み取る画像読取装置に用いられる技術に関する。
【背景技術】
【０００２】
従来から、複数の搬送経路を有し、原稿毎に搬送経路を切り替えて原稿を搬送して読み取る画像読取装置が知られている（例えば、特許文献１）。この装置では、原稿の厚さを搬送中に判定し、判定した原稿の厚さに応じて原稿をいずれの搬送経路で搬送するかを切り替える技術が開示されている。
【先行技術文献】
【特許文献】
【０００３】
【特許文献１】特開平１１−１２７３０１号公報
【発明の概要】
【発明が解決しようとする課題】
【０００４】
複数の搬送経路を有する画像読取装置では、各搬送経路で搬送された原稿を読み取った読取結果に対して、異なる補正処理を施すことが必要な場合がある。例えば、各搬送経路で搬送される原稿の種類が定められている場合、原稿種類の違いにより、一方の搬送経路で搬送された原稿に対して他方の搬送経路で搬送された原稿よりも高精度に読取結果を補正することが必要な場合がある。また、各搬送経路の形状の違いにより、各搬送経路で搬送される原稿の搬送速度に微差が生じており、少なくとも一方の搬送経路で搬送された原稿に対して補正処理をすることが必要な場合がある。しかし、従来技術では、異なる搬送経路を用いて読み取られた読取結果に対する補正処理に対して、十分に検討されていなかった。
【０００５】
本明細書に開示される発明は、搬送経路を切り替えて原稿を搬送して読み取る画像読取装置において、搬送経路に応じて読取結果を補正する技術に関する。
【課題を解決するための手段】
【０００６】
本明細書によって開示される画像読取装置は、原稿が載置される載置部と、前記載置部に載置された前記原稿を第１搬送経路及び第２搬送経路のいずれか一方の搬送経路に沿って搬送する搬送部と、前記第１搬送経路と前記第２搬送経路との共通搬送経路上に設けられ、前記搬送部によって搬送される前記原稿を主走査方向に読み取る読取部と、制御部と、を備え、前記制御部は、前記原稿がいずれの搬送経路に沿って搬送されるかを設定する設定処理と、設定された前記搬送経路に沿って前記原稿を搬送し、前記読取部によって読み取られた読取結果を、設定された前記搬送経路によって、前記主走査方向に直交する副走査方向における拡大又は縮小倍率を示す副走査倍率を切り替えて補正する補正処理と、を実行する。
【０００７】
この画像読取装置では、原稿を搬送する第１搬送経路及び第２搬送経路が設けられており、原稿はいずれか一方の搬送経路に沿って搬送される。そして、搬送経路に沿って搬送される原稿を読み取った読取結果に対して、搬送経路によって副走査倍率を切り替えて補正する。この画像読取装置によれば、各搬送経路の形状や各搬送経路に搬送される原稿の種類等の搬送経路の個体差に応じて各搬送経路毎に個別の副走査倍率を設定することができ、各搬送経路で搬送された原稿を読み取った読取結果に対して、異なる補正処理を実行することができる。
【０００８】
また、上記の画像読取装置では、前記補正処理には、前記原稿が前記第１搬送経路に沿って搬送される場合に、前記原稿を読取完了後に、前記読取結果から第１の副走査倍率を決定し、決定された前記第１の副走査倍率で前記読取結果を補正する第１補正処理と、前記原稿が前記第２搬送経路に沿って搬送される場合に、前記原稿を読取途中に、予め定められた第２の副走査倍率で前記読取結果を補正する第２補正処理と、を含む構成としても良い。
【０００９】
この画像読取装置によれば、第１搬送経路に沿って搬送された原稿に対しては、実際に原稿を用いて読み取った読取結果に応じて副走査倍率を決定することができる。また、第２搬送経路に沿って搬送された原稿に対しては、予め定められた副走査倍率を用いて原稿の読取中に読取結果の補正を開始するので、原稿の読取開始から読取結果の補正完了までの時間を短縮することができる。
【００１０】
また、上記の画像読取装置では、前記制御部は、前記第１補正処理において、前記原稿の前記副走査方向における副走査方向長を推定し、前記読取結果の前記副走査方向における副走査方向データ幅が前記副走査方向長と等しくなる前記第１の副走査倍率を決定する構成としても良い。
【００１１】
この画像読取装置によれば、第１搬送経路に沿って搬送される原稿に対して、副走査方向における副走査方向データ幅が、原稿の副走査方向長と等しくなるように高精度に補正された読取結果を取得することができる。
【００１２】
また、上記の画像読取装置では、前記読取部は、前記主走査方向への読み取りを前記副走査方向に複数回繰り返して前記原稿を読み取り、前記副走査方向長に対応した前記主走査方向への基準の読取回数を示す基準読取数が記憶された記憶部を更に備え、前記制御部は、前記第１補正処理において、前記原稿が読み取られた際の読取数が前記原稿の副走査方向長に対応した前記基準読取数と等しくなる前記第１の副走査倍率を決定する構成としても良い。
【００１３】
この画像読取装置によれば、第１搬送経路に沿って搬送される原稿に対して、副走査方向における副走査方向データ幅が、原稿の副走査方向長と等しくなるように高精度に補正された読取結果を取得することができる。
【００１４】
また、上記の画像読取装置では、前記制御部は、前記第１補正処理において、前記原稿に対して１回目の前記主走査方向への読み取りにより読み取られた単位読取結果の前記主走査方向における主走査方向データ幅から前記副走査方向長を推定する構成としても良い。
【００１５】
この画像読取装置によれば、原稿の読取結果から原稿の副走査方向長を推定することができる。
【００１６】
また、上記の画像読取装置では、前記第１搬送経路は、基準厚さよりも厚い原稿を搬送する搬送経路であって、前記第２搬送経路は、前記基準厚さよりも薄い原稿を搬送する搬送経路である構成としても良い。
【００１７】
この画像読取装置によれば、比較的厚い原稿についての高精度に補正された読取結果を取得することができる。
【００１８】
また、上記の画像読取装置では、前記読取結果を記憶する記憶部を更に備え、前記第１搬送経路は、基準原稿サイズよりも小型な原稿を搬送する搬送経路であって、前記第２搬送経路は、前記基準原稿サイズよりも大型な原稿を搬送する搬送経路である構成としても良い。
【００１９】
この画像読取装置によれば、第１搬送経路に比較的小型な原稿のみを搬送するので、第１補正処理において、第１の副走査倍率を決定する際に、一旦、原稿を読み取った読取結果のすべてを記憶部に記憶する場合でも、記憶部に必要とされる容量を縮小することができる。
【００２０】
また、上記の画像読取装置では、前記第２搬送経路は、前記第１搬送経路よりも曲率半径の小さい湾曲部を有する構成としても良い。
【００２１】
この画像読取装置によれば、搬送経路の形状に起因して生じる読取結果への影響を抑制するように、読取結果を補正することができる。
【００２２】
また、上記の画像読取装置では、前記第１搬送経路上に設けられ、前記第１搬送経路を遮断する遮断状態と、前記第１搬送経路に沿って前記原稿を搬送する搬送状態のいずれかの状態に切り替わる切替部を更に備え、前記制御部は、前記設定処理において、前記切替部の状態が前記搬送状態の場合に、前記原稿を前記第１搬送経路に沿って搬送されるように設定し、前記切替部の状態が前記遮断状態の場合に、前記原稿を前記第２搬送経路に沿って搬送されるように設定する構成としても良い。
【００２３】
この画像読取装置によれば、切替部の状態に応じて、いずれの搬送経路に沿って原稿を搬送するかを設定することができる。
【発明の効果】
【００２４】
本明細書によって開示される画像読取装置では、搬送経路を切り替えて原稿を搬送して読み取る画像読取装置において、搬送経路に応じて読取結果を補正することができる。
【図面の簡単な説明】
【００２５】
【図１】画像読取装置の概略的な断面図
【図２】画像読取装置の電気的構成を概略的に示すブロック図
【図３】実施形態１の読取処理を示すフローチャート
【図４】補正前読取処理を示すフローチャート
【図５】拡大・縮小処理を示すフローチャート
【図６】読取補正処理を示すフローチャート
【図７】原稿と読取画像を示す図
【図８】実施形態２の読取処理を示すフローチャート
【発明を実施するための形態】
【００２６】
＜実施形態１＞
実施形態１を、図１ないし図７を用いて説明する。
【００２７】
１．画像読取装置の機械的構成
図１に示すように、画像読取装置１は、ユーザにより給紙トレイ２に載置された複数の原稿Ｇを排紙トレイ４Ａ、４Ｂに搬送するとともに、搬送中の原稿Ｇを本体部３に含まれるＣＩＳ３０を用いて読み取るシートフィードスキャナである。給紙トレイ２は、載置部の一例である。
【００２８】
画像読取装置１の本体部３には、給紙トレイ２と排紙トレイ４を接続する搬送経路２２が設けられており、この搬送経路２２の周辺に、給紙ローラ４０と、分離パッド４２と、搬送ローラ４４と、ＣＩＳ３０と、フロントセンサ（以下、Ｆセンサ）１３と、リアセンサ（以下、Ｒセンサ）１４と、排紙ローラ４６と、変向板４８と、トレイ板５０と、を備える。ＣＩＳ３０は、読取部の一例であり、トレイ板５０は、切替部の一例である。
【００２９】
給紙ローラ４０は、給紙トレイ２に載置された原稿Ｇに当接し、摩擦力により、給紙トレイ２に載置された原稿Ｇを本体部３の内部へと引き込む。この際、原稿Ｇは、分離パッド４２の摩擦力により各原稿Ｇ毎に分離され、搬送経路２２へと送り出される。
【００３０】
搬送ローラ４４は、モータＭ（図２参照）により駆動され、本体部３の内部へと引き込まれた原稿Ｇを搬送経路２２に沿って搬送する。ＣＩＳ３０は、その主走査方向Ｄ１が搬送経路２２に沿った搬送方向Ｄ２に直交する姿勢で搬送経路２２上の読取位置Ｌ１に配置され、読取位置Ｌ１を通過する原稿Ｇを主走査方向Ｄ１に読み取る。
【００３１】
排紙ローラ４６は、搬送ローラ４４と同様にモータＭにより駆動され、搬送経路２２上に搬送された原稿Ｇを排紙トレイ４に送り出す。排紙ローラ４６の搬送経路２２を挟んで対向する位置に、変向板４８が配置されている。変向板４８は、変向部１９（図２参照）により制御されており、排紙トレイ４Ａへと続く第１搬送経路２２Ａに沿った第１姿勢Ｆ１と、排紙トレイ４Ｂへと続く第２搬送経路２２Ｂに沿った第２姿勢Ｆ２と、のいずれか一方の姿勢となるように制御される。
【００３２】
また、第１搬送経路２２Ａが本体部３と交差する位置の第１搬送経路２２Ａ上に、トレイ板５０が配置されている。トレイ板５０は、状態センサ１０（図２参照）によりその状態が検出されており、開放状態Ｆ３と閉鎖状態Ｆ４のいずれかの状態に切り替わる。トレイ板５０は、開放状態Ｆ３となることで排紙トレイ４Ａを構成し、原稿Ｇが第１搬送経路２２Ａに沿って搬送される状態を形成する。また、閉鎖状態Ｆ４となることで第１搬送経路２２Ａを遮断し、原稿Ｇが第１搬送経路２２Ａでなく第２搬送経路２２Ｂに沿って搬送される状態を形成する。開放状態Ｆ３は、搬送状態の一例であり、閉鎖状態Ｆ４は、遮断状態の一例である。
【００３３】
第１搬送経路２２Ａと第２搬送経路２２Ｂは、給紙トレイ２から排紙ローラ４６に至る範囲において共通している。つまり、第１搬送経路２２Ａと第２搬送経路２２Ｂは、読取位置Ｌ１を共通するとともに、後述する検知位置Ｌ２を共通する。
【００３４】
その一方、第１搬送経路２２Ａと第２搬送経路２２Ｂは、排紙ローラ４６から排紙トレイ４Ａ、４Ｂに至る範囲において異なる。この範囲において、第１搬送経路２２Ａは、略直線状に設けられており、第２搬送経路２２Ｂは、その一部が排紙ローラ４６に沿って曲線状に設けられる。つまり、第２搬送経路２２Ｂでは、排紙ローラ４６に沿った湾曲部分Ｘにおいて、第１搬送経路２２Ａよりも曲率半径が小さくなる。湾曲部分Ｘは、湾曲部の一例である。
【００３５】
そのため、第１搬送経路２２Ａは、基準厚さよりも厚い原稿Ｇや基準原稿サイズよりも小型な原稿Ｇなど、湾曲部分Ｘを通過させた場合に、ジャムや搬送速度の低下などが発生してしまい、湾曲部分Ｘにおける搬送に適さない原稿Ｇの搬送に用いられる。それに対し、第２搬送経路２２Ｂは、基準厚さよりも薄い原稿Ｇや基準原稿サイズよりも大型な原稿Ｇなど、湾曲部分Ｘを通過させた場合でも、ジャムや搬送速度の低下などが発生せず、湾曲部分Ｘにおける搬送が可能な原稿Ｇの搬送に用いられる。
【００３６】
ここで、基準厚さ及び基準原稿サイズは、第１搬送経路２２Ａと第２搬送経路２２Ｂの形状に基づいて決定される。本実施形態では、名刺やはがきは、基準厚さよりも厚く、基準原稿サイズよりも小型な原稿Ｇに分類され、Ａ４普通紙やＢ５普通紙は、基準厚さよりも薄く、基準原稿サイズよりも大型な原稿Ｇに分類される。
【００３７】
トレイ板５０が図１に実線で示す開放状態Ｆ３である場合、変向板４８は図１に実線で示す第１姿勢Ｆ１に制御され、原稿Ｇは第１搬送経路２２Ａに沿って搬送される。そして、開放状態となったトレイ板５０によって構成される排紙トレイ４Ａに原稿Ｇが配置される。
【００３８】
一方、トレイ板５０が図１に点線で示す閉鎖状態Ｆ４である場合、変向板４８は図１に点線で示す第２姿勢Ｆ２に制御され、原稿Ｇは第２搬送経路２２Ｂに沿って搬送されて、排紙トレイ４Ｂに排紙される。つまり、給紙ローラ４０と搬送ローラ４４と排紙ローラ４６とによって、給紙トレイ２に載置された複数の原稿Ｇを第１搬送経路２２Ａ及び第２搬送経路２２Ｂのいずれか一方の搬送経路に沿って搬送する搬送部１５が形成されている。
【００３９】
Ｆセンサ１３は、給紙トレイ２に配置され、給紙トレイ２に原稿Ｇが載置された場合にオンし、給紙トレイ２に原稿Ｇが載置されていない場合にオフする。つまり、Ｆセンサ１３は、給紙トレイ２に原稿Ｇが有るか否かを検知する。Ｒセンサ１４は、搬送経路２２において読取位置Ｌ１よりも上流側の検知位置Ｌ２に配置され、原稿Ｇが搬送経路２２上の検知位置Ｌ２を通過する場合にオンし、原稿Ｇが検知位置Ｌ２を通過していない場合にオフする。
【００４０】
さらに、画像読取装置１には、各種のボタンからなり、ユーザからの操作入力を受け付ける入力部１１、画像読取装置１の状態を表示する液晶ディスプレイからなる表示部１２が設けられている（図２参照）。
【００４１】
２．画像読取装置の電気的構成
図２に示すように、画像読取装置１は、中央処理装置（以下、ＣＰＵ）２０、ＲＯＭ２６、ＲＡＭ２７、画像処理部２８、デバイス制御部１６、アナログフロントエンド（以下、ＡＦＥ）１７、駆動回路１８、変向部１９、を備え、これらにバス２９を介して、状態センサ１０、入力部１１、表示部１２、Ｆセンサ１３、Ｒセンサ１４、などが接続されている。図３に点線２１で示すように、ＣＰＵ２０と、ＲＯＭ２６と、ＲＡＭ２７と、画像処理部２８を含めたものは、制御部の一例であり、ＲＯＭ２６及びＲＡＭ２７は、記憶部の一例である。
【００４２】
ＲＯＭ２６には、画像読取装置１の動作を制御するための各種のプログラムが記憶されており、ＣＰＵ２０は、ＲＯＭ２６から読み出したプログラムに従って各部の制御を行う。ＲＯＭ２６には、その他に、基準読取数ＮＫや補正定数ＴＨが記憶されている。基準読取数ＮＫは、原稿Ｇのサイズ毎に決定されたＣＩＳ３０の主走査方向Ｄ１への基準の読取回数である。また、補正定数ＴＨは、搬送部１５の構成や搬送経路２２の形状に基づいて決定される補正の定数である。
【００４３】
デバイス制御部１６は、ＣＩＳ３０に接続されており、ＣＰＵ２０からの命令に基づいて読取制御信号をＣＩＳ３０に送信する。ＣＩＳ３０は、デバイス制御部１６からの読取制御信号に基づいて原稿Ｇを読み取る。補正定数ＴＨは、第２の副走査倍率の一例である。
【００４４】
ＣＩＳ３０は、搬送経路２２の読取位置Ｌ１を搬送される原稿Ｇに対して、主走査方向Ｄ１に複数回読み取りを繰り返す。ＣＩＳ３０は、図７に示すように、１回の主走査方向Ｄ１の読み取りで単位読取画像ＴＧを取得する。単位読取画像ＴＧは、搬送方向Ｄ２において規定幅ＫＷを有する原稿Ｇの規定範囲ＫＨを読み取った読取画像に相当する。ＣＩＳ３０は、主走査方向Ｄ１に読み取りを繰り返すことで、単位読取画像ＴＧが主走査方向Ｄ１と直交する副走査方向Ｄ３に複数個集まって構成される読取画像ＹＧを読み取り、読取画像ＹＧをＡＦＥ１７に出力する。読取画像ＹＧは、読取結果の一例である。
【００４５】
ＡＦＥ１７は、ＣＩＳ３０に接続されており、ＣＰＵ２０からの命令に基づいて、ＣＩＳ３０から出力されるアナログ信号の読取画像ＹＧをデジタル信号、つまり階調データの読取画像ＹＧに変換する。ＡＦＥ１７は、変換した階調データを、バス２９を介してＲＡＭ２７に記憶する。
【００４６】
画像処理部２８は、ＲＡＭ２７に記憶された読取画像ＹＧに２値化処理やエンハンス処理等のエッジ抽出処理を行う。また、画像処理部２８は、ＲＡＭ２７に記憶された読取画像ＹＧの副走査方向Ｄ３の倍率を補正する補正処理を行う（図７の矢印５４参照）。画像処理部２８は、副走査方向Ｄ３の倍率を拡大する場合、ＣＩＳ３０により読み取られた単位読取画像ＴＧと単位読取画像ＴＧとから線形補間等によって、その単位読取画像ＴＧ間の新たな単位読取画像ＴＧを生成する。また、副走査方向Ｄ３の倍率を縮小する場合、ＣＩＳ３０により読み取られた単位読取画像ＴＧからその一部を削除する。画像処理部２８により処理された読取画像ＹＧは、ＲＡＭ２７に再び記憶される。
【００４７】
駆動回路１８は、モータＭに接続されている。モータＭは、周知であって、回転軸に固定されたロータ（不図示）と、その外側に付けられたステータ（不図示）とによって構成される。モータＭを駆動する駆動回路１８は、ステータに巻かれているコイルに励磁相に対応した電流を順次通電することで、ロータを一定の角度単位で正確に回転させることができる。なお、励磁相とは、駆動回路１８がモータＭのコイルにどのように電流を供給するかを示す位相である。そして、その励磁相に応じて、ステッピングモータの回転位置（ロータの位置）が定まっている。
駆動回路１８は、ＣＰＵ２０からの指示によってクロック信号が入力される。そして、駆動回路１８は、そのクロック信号の１パルス毎に励磁相を指示する信号を更新し、その信号に基づいてコイルに電流を供給することで、モータＭを１ステップずつ回転させる。
モータＭは、パルス信号の１パルスで、１ステップの回転角度分、回転駆動する。モータＭが１ステップ分駆動すると、搬送ローラ４４及び排紙ローラ４６が駆動し、搬送経路２２上を原稿Ｇが所定距離の分だけ搬送される。ＣＰＵ２０は、原稿Ｇを搬送する際に、駆動回路１８にパルス信号を送信し、これに従って搬送部１５は、そのパルス信号のパルスの数に規定距離を掛けた距離だけ原稿Ｇを搬送する。以後、ＣＰＵ２０が駆動回路１８に送信するパルス信号のパルスの数を、ステップ数と呼ぶ。
【００４８】
３．読取処理
次に、図３ないし図７を参照して、画像読取装置１における原稿Ｇの読取処理について説明する。図３は、ＣＰＵ１１が所定のプログラムに従って実行する読取処理のフローチャートを示す。ＣＰＵ１１は、Ｆセンサ１３を用いて給紙トレイ２に原稿Ｇが載置されたことが確認され、入力部１１を介して使用者から原稿Ｇの読取指示が入力されると、処理を開始する。
【００４９】
ＣＰＵ２０は、読取処理を開始すると、原稿Ｇの搬送に先だって、搬送経路２２を設定する設定処理を実行する（Ｓ２〜Ｓ６）。設定処理において、ＣＰＵ２０は、状態センサ１０を用いてトレイ板５０の状態を確認する（Ｓ２）。ＣＰＵ２０は、トレイ板５０が開放状態である場合（Ｓ２：ＹＥＳ）、原稿Ｇを第１搬送経路２２Ａに沿って搬送するために、変向部１９を用いて変向板４８を第１姿勢Ｆ１に切り替える。また、ＣＰＵ２０は、第１搬送経路２２Ａに沿って原稿Ｇを搬送することを示す第１フラグをオンする（Ｓ４）。
【００５０】
一方、トレイ板５０が閉鎖状態である場合（Ｓ２：ＮＯ）、原稿Ｇを第２搬送経路２２Ｂに沿って搬送するために、変向板４８を第２姿勢Ｆ２に切り替える。また、ＣＰＵ２０は、第２搬送経路２２Ｂに沿って原稿Ｇを搬送することを示す第２フラグをオンする（Ｓ６）。
【００５１】
ＣＰＵ２０は、設定処理を終了すると、駆動回路１８及びモータＭを用いて設定された搬送経路２２に沿って原稿Ｇの搬送を開始する（Ｓ８）とともに、ステップ数をカウントする。また、ＣＰＵ２０は、主走査方向Ｄ１における読取回数を示す読取数Ｎをゼロにする（Ｓ１０）。ＣＰＵ２０は、Ｒセンサ１４を用いて搬送中の原稿Ｇの位置を検知し（Ｓ１２：ＮＯ）、Ｒセンサ１４がオンする（Ｓ１２：ＹＥＳ）と、搬送経路２２上の検知位置Ｌ２に原稿Ｇの搬送方向Ｄ２の先端が到達したことを検知し、読取処理及び補正処理を開始する（Ｓ１６〜Ｓ２０）。
【００５２】
読取処理及び補正処理を開始する際に、ＣＰＵ２０は、第１フラグと第２フラグのいずれかがオンしているかを確認する（Ｓ１４）。そして、ＣＰＵ２０は、第１フラグがオンしている場合（Ｓ１４：ＹＥＳ）、補正前読取処理（Ｓ１６）及び拡大・縮小処理（Ｓ１８）を実行する。また、第２フラグがオンしている場合（Ｓ１４：ＮＯ）、読取補正処理（Ｓ２０）を実行する。つまり、ＣＰＵ２０は、いずれのフラグがオンしているかによって、補正処理を切り替えて実行する。拡大・縮小処理は、第１補正処理の一例であり、読取補正処理は、第２補正処理の一例である。
【００５３】
（補正前読取処理）
ＣＰＵ２０は、第１フラグがオンしており、原稿Ｇを第１搬送経路２２Ａに沿って搬送する場合に、補正前読取処理を実行する（Ｓ１６）。図４に、補正前読取処理のフローチャートを示す。補正前読取処理において、ＣＰＵ２０は、Ｒセンサ１４がオンした後、搬送経路２２の検知位置Ｌ２から読取位置Ｌ１までの距離に相当する第１ステップ数ＳＴ１をカウントするまで待機する（Ｓ３２：ＮＯ）。そして、ＣＰＵ２０は、第１ステップ数ＳＴ１をカウントし（Ｓ３２：ＹＥＳ）、読取位置Ｌ１に原稿Ｇの搬送方向Ｄ２の先端が到達した場合に、主走査方向Ｄ１に１回読み取りを実行し（Ｓ３４）、読取数Ｎに１を加える（Ｓ３６）。
【００５４】
次に、ＣＰＵ２０は、読取数Ｎを確認し（Ｓ３８）、読取数Ｎが１である場合（Ｓ３８：ＹＥＳ）、つまり補正前読取処理において１回目の単位読取画像ＴＧが読み取られた場合、画像処理部２８を用いて１回目の単位読取画像ＴＧにエッジ抽出処理を実行する（Ｓ４０）。ＣＰＵ２０は、エッジ抽出処理された１回目の単位読取画像ＴＧを用いて、原稿Ｇの主走査方向Ｄ１の長さである主走査方向長ＬＳ（図７参照）を推定する（Ｓ４２）。ＣＰＵ２０は、エッジ抽出処理された１回目の単位読取画像ＴＧを用いて、当該単位読取画像ＴＧの主走査方向Ｄ１の長さである主走査方向データ長ＤＳを推定し、この主走査方向データ長ＤＳを主走査方向長ＬＳとして推定する。ＣＰＵ２０は、主走査方向長ＬＳをＲＡＭ２７に記憶し、Ｓ３４からの処理を繰り返す。
【００５５】
一方、読取数Ｎが２以上である場合（Ｓ３８：ＮＯ）、ＣＰＵ２０は、Ｒセンサ１４を用いて搬送中の原稿Ｇの位置を検知する（Ｓ４４）。ＣＰＵ２０は、Ｒセンサ１４がオンしており、搬送経路２２上の検知位置Ｌ２に原稿Ｇの搬送方向Ｄ２の後端が到達していない場合（Ｓ４４：ＮＯ）、Ｓ３４からの処理を繰り返す。
【００５６】
また、ＣＰＵ２０は、Ｒセンサ１４がオフし、検知位置Ｌ２に原稿Ｇの搬送方向Ｄ２の後端が到達したけれども、Ｒセンサ１４がオンしてから第１ステップ数ＳＴ１をカウントしておらず、読取位置Ｌ１に原稿Ｇの搬送方向Ｄ２の後端が到達していない場合も（Ｓ４４：ＮＯ）、Ｓ３４からの処理を繰り返す。
【００５７】
一方、ＣＰＵ２０は、Ｒセンサ１４がオンしてから第１ステップ数ＳＴ１をカウントし、搬送経路２２上の読取位置Ｌ１に原稿Ｇの搬送方向Ｄ２の後端が到達した場合に（Ｓ４４：ＹＥＳ）、原稿Ｇの読み取りを完了し、第１ステップ数ＳＴ１をカウントした際の読取数Ｎを読取ライン数ＮＬとしてＲＡＭ２７に記憶して（Ｓ４６）、補正前読取処理を終了する。
【００５８】
（拡大・縮小処理）
ＣＰＵ２０は、補正前読取処理を終了し、読取画像ＹＧの読み取りを完了後に、拡大・縮小処理を実行する。拡大・縮小処理では、補正前読取処理において取得された読取画像ＹＧを、副走査方向Ｄ３に拡大又は縮小する補正処理を実行する。図５に、拡大・縮小処理のフローチャートを示す。拡大・縮小処理において、ＣＰＵ２０は、まず、原稿Ｇの副走査方向Ｄ３の長さである副走査方向長ＬＨ（図７参照）を推定する（Ｓ５２）。
【００５９】
副走査方向長ＬＨの推定において、ＣＰＵ２０は、補正前読取処理において算出された主走査方向長ＬＳから原稿Ｇのサイズを推定し、当該サイズに対応付けてＲＯＭ２６に記憶された基準読取数ＮＫを選出する。ＣＰＵ２０は、基準読取数ＮＫを推定することで、基準読取数ＮＫに規定幅ＫＷを積した値としての副走査方向長ＬＨを推定する。
【００６０】
次に、ＣＰＵ２０は、読取画像ＹＧを副走査方向Ｄ３に拡大又は縮小する倍率である副走査倍率ＢＨを決定する（Ｓ５４）。副走査倍率ＢＨの決定において、ＣＰＵ２０は、ＲＡＭ２７に記憶された読取ライン数ＮＬを読み出し、推定された基準読取数ＮＫを読取ライン数ＮＬで除して副走査倍率ＢＨを決定する。副走査倍率ＢＨは、第１の副走査倍率の一例である。
ＢＨ＝ＮＫ／ＮＬ
【００６１】
ＣＰＵ２０は、決定した副走査倍率ＢＨを用いて読取画像ＹＧを補正する（Ｓ５６）。ＣＰＵ２０は、副走査倍率ＢＨが１よりも小さい場合、読取画像ＹＧに含まれる単位読取画像ＴＧから新たな単位読取画像ＴＧを生成し、読取画像ＹＧに含まれる単位読取画像ＴＧの数が基準読取数ＮＫと等しくなるように補正する。この際、ＣＰＵ２０は、副走査倍率ＢＨに基づいて、所定数の単位読取画像ＴＧ毎に新たな単位読取画像ＴＧを生成する。
【００６２】
また、ＣＰＵ２０は、副走査倍率ＢＨが１よりも大きい場合、読取画像ＹＧに含まれる単位読取画像ＴＧの一部を削除し、読取画像ＹＧに含まれる単位読取画像ＴＧの数が基準読取数ＮＫと等しくなるように補正する（図７の矢印５４参照）。この際、ＣＰＵ２０は、副走査倍率ＢＨに基づいて、所定数の単位読取画像ＴＧ毎に単位読取画像ＴＧを削除する。
【００６３】
ＣＰＵ２０は、副走査倍率ＢＨを用いて読取画像ＹＧを補正する。これによって、図７に矢印５６で示す誤差を補正し、読取画像ＹＧに含まれる単位読取画像ＴＧの数に規定幅ＫＷを積した値としての副走査方向データ長ＤＨを副走査方向長ＬＨと等しくなるように補正する。
【００６４】
（読取補正処理）
一方、ＣＰＵ２０は、第２フラグがオンしており、原稿Ｇを第２搬送経路２２Ｂに沿って搬送する場合に、補正前読取処理を実行する。図６に、読取補正処理のフローチャートを示す。本実施形態では、読取補正処理として、読取画像ＹＧの副走査方向Ｄ３の倍率を縮小する場合の形態について説明する。読取補正処理において、ＣＰＵ２０は、ＲＯＭ２６に予め記憶された補正定数ＴＨを読み出す（Ｓ６２）。また、ＣＰＵ２０は、主走査方向Ｄ１における読み取りの予定回数を示す予定数Ｙをゼロにする（Ｓ６４）。
【００６５】
ＣＰＵ２０は、Ｒセンサ１４がオンした後、第１ステップ数ＳＴ１をカウントするまで待機する（Ｓ６６：ＮＯ）。そして、ＣＰＵ２０は、第１ステップ数ＳＴ１をカウントし（Ｓ６６：ＹＥＳ）、搬送経路２２上の読取位置Ｌ１に原稿Ｇの搬送方向Ｄ２の先端が到達した場合に、予定数Ｙに１を加え（Ｓ６８）、予定数Ｙが補正定数ＴＨの倍数であるかを確認する（Ｓ７０）。ＣＰＵ２０は、予定数Ｙが補正定数ＴＨの倍数でない場合（Ｓ７０：ＮＯ）、主走査方向Ｄ１に１回読み取りを実行する（Ｓ７２）。
【００６６】
一方、ＣＰＵ２０は、予定数Ｙが補正定数ＴＨの倍数である場合（Ｓ７０：ＹＥＳ）、主走査方向Ｄ１の読み取りを実行しない。ＣＰＵ２０は、所定の場合に読み取りを実行しないことで、取得される単位読取画像ＴＧを減らし、読取画像ＹＧの副走査方向Ｄ３の倍率を縮小する。ＣＰＵ２０は、予定数Ｙが補正定数ＴＨの倍数である場合に主走査方向Ｄ１の読み取りを実行しないことで、予めＲＯＭ２６に記憶された補正定数ＴＨに基づいて読取画像ＹＧの副走査方向Ｄ３の倍率を縮小する。
【００６７】
ＣＰＵ２０は、Ｒセンサ１４を用いて搬送中の原稿Ｇの位置を検知し、Ｒセンサ１４がオフし、かつＲセンサ１４がオフしてから第１ステップ数ＳＴ１をカウントするまで（Ｓ７４：ＮＯ）、つまり、読取位置Ｌ１に原稿Ｇの搬送方向Ｄ２の後端が到達するまで、Ｓ６８からの処理を繰り返す。そして、ＣＰＵ２０は、Ｒセンサ１４がオフしてから第１ステップ数ＳＴ１をカウントし（Ｓ７４：ＹＥＳ）、搬送経路２２上の読取位置Ｌ１に原稿Ｇの搬送方向Ｄ２の後端が到達した場合に、原稿Ｇの読み取りを完了し、読取補正処理を終了する。
【００６８】
ＣＰＵ２０は、拡大・縮小処理又は読取補正処理を終了すると、図３に示す読取処理に戻る。ＣＰＵ２０は、搬送経路２２の読取位置Ｌ１から各排紙トレイ４までの距離に相当する第２ステップ数ＳＴをカウントすると、原稿Ｇの搬送を停止し（Ｓ２２）、読取処理を終了する。
【００６９】
４．本実施形態の効果
（１）本実施形態の画像読取装置１では、搬送経路２２に沿って原稿Ｇを搬送し、搬送される原稿Ｇを読み取った読取画像ＹＧに対して、副走査方向Ｄ３の倍率を補正する処理を実行する。その際、原稿Ｇが第１搬送経路２２Ａに沿って搬送された場合には、副走査倍率ＢＨに基づいて副走査方向Ｄ３の倍率を補正し、原稿Ｇが第２搬送経路２２Ｂに沿って搬送された場合には、補正定数ＴＨに基づいて副走査方向Ｄ３の倍率を補正する。つまり、この画像読取装置１では、原稿Ｇが搬送される搬送経路２２に応じて副走査方向Ｄ３の倍率の基準となる値を切り替えて補正処理を実行することができ、各搬送経路２２で搬送された原稿Ｇを読み取った読取画像ＹＧに対して、異なる補正処理を実行することができる。
【００７０】
（２）本実施形態の画像読取装置１では、第１搬送経路２２Ａに沿って搬送された原稿Ｇの読取画像ＹＧに対しては、読み取りが完了した読取画像ＹＧに基づいて副走査倍率ＢＨを決定する。具体的には、読取画像ＹＧの副走査方向データ長ＤＨが原稿Ｇの副走査方向長ＬＨと等しくなるように、つまり読取画像ＹＧに含まれる単位読取画像ＴＧの数が基準読取数ＮＫと等しくなるように副走査倍率ＢＨを決定し、当該副走査倍率ＢＨに基づいて読取画像ＹＧを補正する。そのため、第１搬送経路２２Ａに沿って搬送される原稿Ｇに対して、副走査方向Ｄ３の倍率が高精度に補正された読取画像ＹＧを取得することができる。
【００７１】
（３）また、本実施形態の画像読取装置１では、第２搬送経路２２Ｂに沿って搬送された原稿Ｇの読取画像ＹＧに対しては、予めＲＯＭ２６に記憶された補正定数ＴＨに基づいて、原稿Ｇの読み取り途中に読取画像ＹＧを補正する。そのため、読取画像ＹＧの読み取りが完了した時点で、読取画像ＹＧの補正を完了することができ、原稿Ｇの読取開始から読取画像ＹＧの補正完了までの時間を短縮することができる。
【００７２】
（４）本実施形態の画像読取装置１では、原稿Ｇが第１搬送経路２２Ａに沿って搬送される場合に、当該原稿Ｇに対する１回目の主走査方向Ｄ１への読み取りにより取得された単位読取画像ＴＧから原稿Ｇの主走査方向長ＬＳを推定するので、早期に基準読取数ＮＫを選出しておくことができ、これによって、早期に副走査方向長ＬＨを推定しておくことができる。
【００７３】
（５）本実施形態の画像読取装置１では、名刺やはがきなど、比較的厚い原稿Ｇを第１搬送経路２２Ａによって搬送し、副走査倍率ＢＨを用いて読取画像ＹＧの副走査方向Ｄ３の倍率を補正する。比較的厚い原稿Ｇでは、比較的薄い原稿Ｇに比べて、搬送に必要な搬送ローラ４４等のトルクが大きく、比較的薄い原稿Ｇに比べて、搬送速度が遅くなり易い。そのため、基準の搬送速度に基づいて決定されている補正定数ＴＨを用いて副走査方向Ｄ３の倍率を補正すると、読取画像ＹＧを精度良く補正することができない場合がある。この画像読取装置１では、比較的厚い原稿Ｇを第１搬送経路２２Ａによって搬送し、読取画像ＹＧから決定された副走査倍率ＢＨを用いて読取画像ＹＧの副走査方向Ｄ３の倍率を補正するので、比較的厚い原稿Ｇの読取画像ＹＧを高精度に補正することができる。
【００７４】
（６）本実施形態の画像読取装置１では、名刺やはがきなど、比較的小型な原稿Ｇを第１搬送経路２２Ａによって搬送し、副走査倍率ＢＨを用いて読取画像ＹＧの副走査方向Ｄ３の倍率を補正する。比較的小型な原稿Ｇでは、比較的大型な原稿Ｇに比べて、原稿Ｇに対して搬送ローラ４４からのトルクが伝わりにくく、比較的大型な原稿Ｇに比べて、搬送速度が遅くなり易い。そのため、基準の搬送速度に基づいて決定されている補正定数ＴＨを用いて副走査方向Ｄ３の倍率を補正すると、読取画像ＹＧを精度良く補正することができない場合がある。この画像読取装置１では、比較的小型な原稿Ｇを第１搬送経路２２Ａによって搬送し、読取画像ＹＧから決定された副走査倍率ＢＨを用いて読取画像ＹＧの副走査方向Ｄ３の倍率を補正するので、比較的小型な原稿Ｇの読取画像ＹＧを高精度に補正することができる。
【００７５】
（７）また、比較的小型な原稿Ｇでは、比較的大型な原稿Ｇに比べて読取ライン数ＮＬが少ない。そのため、副走査倍率ＢＨを決定する際に、補正前の読取画像ＹＧの全てをＲＡＭ２７に記憶する場合でも、ＲＡＭ２７に必要とされる容量が増大してしまうのを抑制することができる。
【００７６】
（８）本実施形態の画像読取装置１では、曲率半径が異なり、原稿Ｇを搬送する際の搬送速度に差異が生じる虞がある２つの搬送経路２２に対して、各搬送経路２２毎に基準となる値を切り替えて、読取画像ＹＧの副走査方向Ｄ３の倍率を補正する。そのため、搬送経路２２の形状に起因して生じる読取画像ＹＧへの影響を抑制するように、読取画像ＹＧの副走査方向Ｄ３の補正の基準となる値を決定することができる。
【００７７】
（９）本実施形態の画像読取装置１では、トレイ板５０の状態に基づいて原稿Ｇが搬送される搬送経路２２を決定するので、使用者は、トレイ板５０の状態を手動等で変更することで、原稿Ｇがいずれの搬送経路２２で搬送されるかを決定することができる。
【００７８】
＜実施形態２＞
実施形態２を、図８を用いて説明する。本実施形態では、第１搬送経路２２Ａに対応する第１補正定数ＴＨ１及び第２搬送経路２２Ｂに対応する第２補正定数ＴＨ２が予め決定されてＲＡＭ２６に記憶されており、いずれの搬送経路２２に沿って搬送された原稿Ｇの読取画像ＹＧに対しても補正定数ＴＨに基づいて副走査方向Ｄ３の倍率が補正される点で、実施形態１の画像読取装置１と異なる。各補正定数ＴＨは、対応する搬送経路２２の形状、特に搬送経路２２が有する湾曲部分の曲率半径や、搬送経路２２における搬送に用いられる搬送ローラ４４等に基づいて決定される。以下の説明では、実施形態１と同一の内容については重複した記載を省略する。
【００７９】
１．読取処理
ＣＰＵ２０は、読取処理を開始すると、原稿Ｇの搬送に先だって、搬送経路２２を設定する設定処理を実行する（Ｓ８２〜Ｓ８６）。設定処理において、ＣＰＵ２０は、状態センサ１０を用いてトレイ板５０の状態を確認する（Ｓ８２）。ＣＰＵ２０は、トレイ板５０が開放状態である場合（Ｓ８２：ＹＥＳ）、変向板４８を第１姿勢Ｆ１に切り替えるとともに、ＲＯＭ２６に記憶された第１補正定数ＴＨ１を読み出し、代表補正定数ＴＨ０に第１補正定数ＴＨ１を代入する（Ｓ８４）。
【００８０】
一方、トレイ板５０が閉鎖状態である場合（Ｓ８２：ＮＯ）、変向板４８を第２姿勢Ｆ２に切り替えるとともに、ＲＯＭ２６に記憶された第２補正定数ＴＨ２を読み出し、代表補正定数ＴＨ０に第２補正定数ＴＨ２を代入する（Ｓ８４）。ＣＰＵ２０は、設定処理を終了すると、設定された搬送経路２２に沿って原稿Ｇの搬送を開始する（Ｓ８８）とともに、ステップ数をカウントする。また、ＣＰＵ２０は、予定数Ｙをゼロにする（Ｓ９０）。
【００８１】
次に、ＣＰＵ２０は、Ｒセンサ１４を用いて搬送中の原稿Ｇの位置を検知し、Ｒセンサ１４がオンし、かつＲセンサ１４がオンしてから第１ステップ数ＳＴ１をカウントするまで待機する（Ｓ９２：ＮＯ）。そして、ＣＰＵ２０は、Ｒセンサ１４がオンしてから第１ステップ数ＳＴ１をカウントすると（Ｓ９２：ＹＥＳ）、予定数Ｙに１を加え（Ｓ９４）、予定数Ｙが代表補正定数ＴＨ０の倍数であるかを確認する（Ｓ９６）。
【００８２】
ＣＰＵ２０は、予定数Ｙが代表補正定数ＴＨ０の倍数でない場合（Ｓ９６：ＮＯ）、主走査方向Ｄ１に１回読み取りを実行する（Ｓ９８）。一方、ＣＰＵ２０は、予定数Ｙが代表補正定数ＴＨ０の倍数である場合（Ｓ９６：ＹＥＳ）、主走査方向Ｄ１の読み取りを実行しない。
【００８３】
ＣＰＵ２０は、Ｒセンサ１４を用いて搬送中の原稿Ｇの位置を検知し、Ｒセンサ１４がオフし、かつＲセンサ１４がオフしてから第１ステップ数ＳＴ１をカウントするまで（Ｓ１００：ＮＯ）、Ｓ９４からの処理を繰り返す。そして、ＣＰＵ２０は、Ｒセンサ１４がオフしてから第１ステップ数ＳＴ１をカウントすると（Ｓ１００：ＹＥＳ）、原稿Ｇの読み取りを完了する。ＣＰＵ２０は、さらに第２ステップ数ＳＴをカウントすと、原稿Ｇの搬送を停止し（Ｓ１０２）、読取処理を終了する。
【００８４】
２．本実施形態の効果
（１）本実施形態の画像読取装置１では、原稿Ｇが搬送された搬送経路２２に応じて補正定数ＴＨを切り替えて補正処理を実行する。そのため、形状や搬送される原稿Ｇが異なる搬送経路２２に応じて各搬送経路２２毎に補正定数ＴＨを設定することができ、各搬送経路２２で搬送された原稿Ｇを読み取った読取画像ＹＧに対して、異なる補正処理を実行することができる。
【００８５】
（２）本実施形態の画像読取装置１では、いずれの搬送経路２２に沿って搬送された原稿Ｇの読取画像ＹＧに対しても、予めＲＯＭ２６に記憶された補正定数ＴＨに基づいて、原稿Ｇの読み取り途中に読取画像ＹＧを補正する。そのため、いずれの搬送経路２２に沿って原稿Ｇを搬送した場合でも、原稿Ｇの読取開始から読取画像ＹＧの補正完了までの時間を短縮することができる。
【００８６】
＜他の実施形態＞
本発明は上記記述及び図面によって説明した実施形態に限定されるものではなく、例えば次のような種々の態様も本発明の技術的範囲に含まれる。
（１）上記実施形態では、スキャナ機能を備えた画像読取装置１を用いて説明を行ったが、本発明はこれに限られず、プリンタ機能、コピー機能、ファクシミリ機能などを備えた複合機であっても良い。
【００８７】
（２）上記実施形態では、画像読取装置１が１つのＣＰＵ２０を有し、この１つのＣＰＵ２０によって読取処理等の各種処理が実行される例を用いて説明を行ったが、本発明はこれに限られない。例えば、複数のＣＰＵにより各部が構成されてもよければ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより各部が構成されてもよい。さらには、単数又は複数のＣＰＵ及びＡＳＩＣによって、各部が構成されてもよい。
【００８８】
（３）また、ＣＰＵ２０が実行するプログラムは必ずしもＲＯＭ２６に記憶されている必要はなく、ＣＰＵ２０自身に記憶されていてもよければ、他の記憶装置に記憶されていても良い。
【００８９】
（４）上記実施形態では、原稿Ｇがいずれの搬送経路２２で搬送されるかをトレイ板５０の姿勢により決定する例を用いて説明を行ったが、原稿Ｇが搬送される搬送経路２２を決定する方法は上記に限らず、例えば、変向板４８の状態により決定してもよければ、入力部１１を介した使用者からの指示により決定されてもよい。
【００９０】
（５）上記実施形態では、原稿Ｇに対する１回目の主走査方向Ｄ１への読み取りにより取得された単位読取画像ＴＧから原稿Ｇの主走査方向長ＬＳを推定する例を用いて説明を行ったが、原稿Ｇの主走査方向長ＬＳを推定するのに用いられる単位読取画像ＴＧは２回目以降の単位読取画像ＴＧであってもよい。さらには、原稿Ｇの主走査方向長ＬＳは必ずしも原稿Ｇの読取画像ＹＧから推定される必要はなく、例えば、入力部５を介した使用者からの指示により決定されてもよい。
【００９１】
（６）上記実施形態では、副走査倍率ＢＨ又は補正定数ＴＨに基づいて読取画像ＹＧの副走査方向Ｄ３の倍率を補正する、と説明を行ったが、副走査倍率ＢＨが１の場合、あるいは補正定数ＴＨが基準読取数ＮＫと等しい場合、読取画像ＹＧに補正がされない。つまり、「副走査方向Ｄ３の倍率を補正する」には、「副走査方向Ｄ３の倍率を等倍に補正する」ことを含むものとする。
【００９２】
（７）上記実施形態では、読取補正処理として、読取画像ＹＧの副走査方向Ｄ３の倍率を縮小する例を用いて説明を行ったが、読取補正処理において、読取画像ＹＧの副走査方向Ｄ３の倍率が拡大されてもよい。
【符号の説明】
【００９３】
２２Ａ、２２Ｂ：搬送経路、４４：搬送ローラ、４６：排紙ローラ、５０：トレイ板、ＢＨ：副走査倍率、Ｄ１：主走査方向、Ｄ３：副走査方向、ＤＨ：副走査方向データ長、ＤＳ：主走査方向データ長、ＬＨ：副走査方向長、ＬＳ：主走査方向長、ＮＫ：基準読取数、ＮＬ：読取ライン数、ＴＧ：単位読取画像、ＴＨ：補正定数、ＹＧ：読取画像
【図１】
2014030129.tif 000003
【図２】
2014030129.tif 000004
【図３】
2014030129.tif 000005
【図４】
2014030129.tif 000006
【図５】
2014030129.tif 000007
【図６】
2014030129.tif 000008
【図７】
2014030129.tif 000009
【図８】
2014030129.tif 000010